【手続補正書】
【提出日】平成17年5月26日(2005.5.26)
【手続補正１】
【補正対象書類名】明細書
【補正対象項目名】特許請求の範囲
【補正方法】変更
【補正の内容】
【特許請求の範囲】
【請求項１】
第１電極と、
第２電極と、
前記第１電極と前記第２電極との間に設けられた発光層と、
前記第１電極に接続されたスイッチング素子と、前記発光層を駆動する電源線とを少なくとも含み、前記第１電極の下層に設けられた回路層と、
該回路層内に、前記第１電極と積層方向に重なる位置に設けられ、前記発光層から放射される光を反射する金属部とを備えることを特徴とする電気光学装置。
【請求項２】
前記発光層から前記第２電極側に放射される光を規制する画素表示部とを含み、
前記画素表示部と前記金属部は積層方向に重なる位置に設けられていることを特徴とする電気光学装置。
【請求項３】
請求項１又は２に記載の電気光学装置であって、
前記回路層は、少なくとも第１金属層と、前記第１金属層の上層に設けられた第２金属層とを含み、
前記金属部は、前記第２金属層により形成されることを特徴とする電気光学装置。
【請求項４】
請求項１乃至３のいずれかに記載の電気光学装置であって、
走査線と、前記走査線と交差する信号線とをさらに有し、
前記走査線は、前記第１金属層により形成されており、
前記信号線は、前記第２金属層により形成されることを特徴とする電気光学装置。
【請求項５】
請求項４に記載の電気光学装置であって、
前記電源線は、前記信号線と交差しないように前記第２金属層で形成されており、
前記金属部は、前記電源線であることを特徴とする電気光学装置。
【請求項６】
請求項５に記載の電気光学装置であって、
前記電源線は、前記走査線と交差しないように前記第１金属層で形成されており、
前記金属部は、前記信号線とは接続されていない前記第２金属層で形成されていることを特徴とする電気光学装置。
【請求項７】
請求項６に記載の電気光学装置であって、
前記金属部の上層に第１電極が設けられ、互いが電気的に接続されていることを特徴とする電気光学装置。
【請求項８】
請求項１乃至７のいずれかに記載の電気光学装置であって、
前記スイッチング素子は、第１金属層と第２金属層を少なくとも有するトランジスタを含んでおり、
前記金属部は、前記第１金属層もしくは前記第２金属層のいずれかにより形成されていることを特徴とする電気光学装置。
【請求項９】
請求項１乃至８のいずれかに記載の電気光学装置であって、
前記金属部は、前記画素表示部よりも広いことを特徴とする電気光学装置。
【請求項１０】
請求項９に記載の電気光学装置であって、
前記金属部の上面が、前記画素表示部と重なる範囲で平坦に形成されたことを特徴とする電気光学装置。
【請求項１１】
請求項１乃至１０のいずれかに記載の電気光学装置であって、
前記スイッチング素子が隣接する前記画素表示部の間の位置に配置されたことを特徴とする電気光学装置。
【請求項１２】
請求項１乃至１１のいずれかに記載の電気光学装置であって、
前記回路層において、前記画素表示部と重なる位置に、前記金属部以下の層によって前記電源線と前記第２電極との間の静電容量が形成されたことを特徴とする電気光学装置。
【請求項１３】
積層構造を有する回路層と、該回路層の上に順次設けられた第１電極、発光層、第２電極とを備え、前記発光層から放射される光を前記発光層の上部で規制する画素表示部を経て、第２電極側から取り出す電気光学装置の製造方法であって、
前記回路層中に金属層を形成する工程を備え、
該工程において同時に、前記発光層の下層に金属部を形成することを特徴とする電気光学装置の製造方法。
【請求項１４】
請求項１３に記載の電気光学装置の製造方法であって、
前記金属層を形成する工程が、前記回路層の第１金属層を形成する第１金属層形成工程と、前記第１金属層を形成したあと、第２金属層を形成する第２金属層形成工程とを備え、
該第２金属形成工程において同時に、前記発光層の下層に金属部を形成することを特徴とする電気光学装置の製造方法。
【請求項１５】
請求項１乃至１２のいずれかに記載の電気光学装置を備えたことを特徴とする電子機器。
【手続補正２】
【補正対象書類名】明細書
【補正対象項目名】０００５
【補正方法】変更
【補正の内容】
【０００５】
【課題を解決するための手段】
上記の課題を解決するために、本発明の電気光学装置は、第１電極と、第２電極と、前記第１電極と前記第２電極との間に設けられた発光層と、前記第１電極に接続されたスイッチング素子と、前記発光層を駆動する電源線とを少なくとも含み、前記第１電極の下層に設けられた回路層と、該回路層内に、前記第１電極と積層方向に重なる位置に設けられ、前記発光層から放射される光を反射する金属部とを備えることを特徴とする。
また本発明の電気光学装置は、先に記載のいずれかの電気光学装置であり、前記発光層から前記第２電極側に放射される光を規制する画素表示部とを含み、前記画素表示部と前記金属部は積層方向に重なる位置に設けられていることを特徴とする。
また本発明の電気光学装置は、先に記載のいずれかの電気光学装置であり、前記回路層は、少なくとも第１金属層と、前記第１金属層の上層に設けられた第２金属層とを含み、前記金属部は、前記第２金属層により形成されることを特徴とする。
また本発明の電気光学装置は、先に記載のいずれかの電気光学装置であり、走査線と、前記走査線と交差する信号線とをさらに有し、前記走査線は、前記第１金属層により形成されており、前記信号線は、前記第２金属層により形成されることを特徴とする。
また本発明の電気光学装置は、先に記載のいずれかの電気光学装置であり、前記電源線は、前記信号線と交差しないように前記第２金属層で形成されており、前記金属部は、前記電源線であることを特徴とする。
また本発明の電気光学装置は、先に記載のいずれかの電気光学装置であり、前記電源線は、前記走査線と交差しないように前記第１金属層で形成されており、前記金属部は、前記信号線とは接続されていない前記第２金属層で形成されていることを特徴とする。
また本発明の電気光学装置は、先に記載のいずれかの電気光学装置であり、前記金属部の上層に第１電極が設けられ、互いが電気的に接続されていることを特徴とする。
また本発明の電気光学装置は、先に記載のいずれかの電気光学装置であり、前記スイッチング素子は、第１金属層と第２金属層を少なくとも有するトランジスタを含んでおり、
前記金属部は、前記第１金属層もしくは前記第２金属層のいずれかにより形成されていることを特徴とする。
また本発明の電気光学装置は、先に記載のいずれかの電気光学装置であり、前記金属部は、前記画素表示部よりも広いことを特徴とする。
また本発明の電気光学装置は、先に記載のいずれかの電気光学装置であり、前記金属部の上面が、前記画素表示部と重なる範囲で平坦に形成されたことを特徴とする。
また本発明の電気光学装置は、先に記載のいずれかの電気光学装置であり、前記スイッチング素子が隣接する前記画素表示部の間の位置に配置されたことを特徴とする。
また本発明の電気光学装置は、先に記載のいずれかの電気光学装置であり、前記回路層において、前記画素表示部と重なる位置に、前記金属部以下の層によって前記電源線と前記第２電極との間の静電容量が形成されたことを特徴とする。
上記の課題を解決するために、本発明の電気光学装置は、スイッチング素子に接続された第１電極と、該第１電極に対向して配置された第２電極と、前記第１電極と前記第２電極との間に設けられた発光層と、該発光層から前記第２電極側に放射される光を規制する画素表示部と、前記第１電極の下層に設けられ、少なくとも前記スイッチング素子と前記発光層を駆動する電源線とを含む積層構造を有する回路層と、該回路層内に、前記画素表示部と積層方向に重なる位置に設けられ、前記発光層から放射される光を反射する金属部とを備えることを特徴とする。
このような電気光学装置によれば、発光層から下方に放射される光のうち、第１電極を透過した光が回路層に設けられた金属部で上方に反射され、発光層、画素表示部、第２電極を経て上方に出射される。したがって、第１電極に反射性を設けることなく発光層からの光を第２電極側に出射することができる。また金属部の下方は光を透過させる必要がないので、そのスペースを有効利用することが可能となる。